(57)【特許請求の範囲】
【請求項１】
排水栓装置や排水配管における各種弁の動作に関与するスプリングにスプリングの付勢方向の変位を防止するガイド部材を挿通した弁用スプリングのガイド構造であって、
前記ガイド部材におけるスプリングの収縮方向側の先端がスプリング内に位置し、
前記ガイド部材の先端が先細りとなる傾斜をつけた形状に形成されている
ことを特徴とする弁用スプリングのガイド構造。
【請求項２】
前記ガイド部材の先端が円弧状、角錐状またはテーパー状に形成されている
ことを特徴とする請求項１記載の弁用スプリングのガイド構造。
【請求項３】
前記ガイド部材の先端の傾斜角度は、前記ガイド部材の軸が変位しうる角度に基づいて設定される
ことを特徴とする請求項１または２記載の弁用スプリングのガイド構造。
【発明の詳細な説明】
【技術分野】
【０００１】
本発明は、ポップアップ弁や逆流防止弁等の弁用スプリングのガイド構造に関する。
【背景技術】
【０００２】
従来より、排水栓装置におけるポップアップ弁や排水配管における吸気弁・逆流防止弁などで、弁開閉等の動作に関与する付勢手段としてスプリングが用いられることがある（例えば、特許文献１および２参照。）。
【０００３】
図３は、従来の弁用スプリングのガイド構造を示す図である。ここでは、排水栓装置におけるポップアップ弁のギア構造にスプリングが用いられている例を図示している。この排水栓装置の概略を説明すると、排水栓本体５１、弁体５２、弁軸５３およびスプリング５５を備え、スプリング５５が上方に付勢し弁軸５３を押し上げて弁体５２を開く構成となっている。そして、弁用スプリングのガイド構造とは、スプリング５５内には弁軸５３の下端から延設されたガイド部５４を挿通することにより、弁用のスプリングの付勢方向の変位を防止するというものである。
【先行技術文献】
【特許文献】
【０００４】
【特許文献１】特開２０００−３４２４６８号公報
【特許文献２】特開２０１２−２４１４８６号公報
【発明の概要】
【発明が解決しようとする課題】
【０００５】
しかしながら、上記のような弁用スプリングのガイド構造では、図４に示すように、外力など何らかの原因でガイド部が傾いた状態のままスプリングが収縮すると、ガイド部の先端が角張っているためガイド部先端がスプリングを巻き込んで破損させてしまうという問題がある。
【０００６】
そこで、本発明は、このような問題に鑑みなされたものであり、ガイド部が傾いてもスプリングを破損させることがなく、開閉動作の安定性に優れた弁用スプリングのガイド構造を提供することを目的とする。
【課題を解決するための手段】
【０００７】
上記の課題を解決するため、本発明に係る弁用スプリングのガイド構造は、排水栓装置や排水配管における各種弁の動作に関与するスプリングにスプリングの付勢方向の変位を防止するガイド部材を挿通した弁用スプリングのガイド構造であって、前記ガイド部材におけるスプリングの収縮方向側の先端が先細りとなる傾斜をつけた形状に形成されていることを特徴とする。
【０００８】
これにより、ガイド部先端が先細りとなる形状としているので、ガイド部が傾いてもスプリングを巻き込んで破損させることがなく、また、スプリングに接触して誤動作を生じさせることがなく、開閉動作の安定性に優れた弁用スプリングのガイド構造が実現される。
【０００９】
ここで、前記ガイド部材の先端が円弧状、角錐状またはテーパー状に形成されているのが好ましい。
【００１０】
また、前記ガイド部材の先端の傾斜角度は、前記ガイド部材の軸が偏位しうる角度に基づいて設定されるのが好ましい。
【００１１】
これにより、ガイド部の軸の傾きうる角度よりも、ガイド部先端が傾斜することで、スプリングの巻き込みを確実に防ぐことが可能となる。
【発明の効果】
【００１２】
以上のように、本発明に係る弁用スプリングのガイド構造によれば、ガイド部先端が先細りとなる形状としているので、ガイド部が傾いても弁用のスプリングを巻き込むことがなく、スプリングの破損や弁開閉の誤動作を防ぐことができ、安定性に優れた弁用スプリングのガイド構造が得られる。
【図面の簡単な説明】
【００１３】
【図１】弁用スプリングのガイド構造を示す図である。
【図２】弁用スプリングのガイド部が傾斜した状態を示す図である。
【図３】従来の弁用スプリングのガイド構造を示す図である。
【図４】従来の構造においてガイド部が傾斜した状態を示す図である。
【発明を実施するための形態】
【００１４】
以下、本発明に係る弁用スプリングのガイド構造について図を参照しながら説明する。
【００１５】
図１は、弁用スプリングのガイド構造を示す図である。
【００１６】
本実施の形態では、排水栓装置におけるポップアップ弁のギア構造にスプリングが用いられている例を挙げて説明する。排水栓装置は、排水栓本体１、弁体２、弁軸３およびスプリング５を備え、スプリング５が上方に付勢し弁軸３を押し上げて弁体２を開く構成となっている。本実施の形態に係る弁用スプリングのガイド構造は、スプリング５内に弁軸３の下端から延設されたガイド部４を挿通することにより、弁用のスプリング５の付勢方向がずれるのを防止するものである。
【００１７】
図１でガイド部近傍を拡大して示すように、ガイド部４におけるスプリング５の収縮方向側先端であるガイド部先端６は先細りとなる傾斜をつけた形状に形成されている。ここでは、ガイド部先端６を円弧状としているが、先細りとなる傾斜をつけた形状であれば角錐状やテーパー状であってもよい。
【００１８】
図２は、弁用スプリングのガイド部が傾斜した状態を示す図である。
【００１９】
弁体２が開いた状態で弁体２に側方からの外力がかかる等の原因で弁軸３が垂直軸から偏位することがある。弁軸３から延設されたガイド部４も同様に偏位してガイド部４が傾いた状態となる。このとき、図２でガイド部近傍を拡大して示すように、ガイド部先端６は先細りとなる円弧状に形成されているから、ガイド部４が傾いてもスプリング５を巻き込むことがなく、スプリング５を破損させたり誤作動を生じさせたりすることがない。ガイド部先端６の傾斜角度αは、ガイド部４の軸が偏位しうる角度βに基づいて設定されており、角度βよりも角度αが大きくなるように設定することで、ガイド部４の傾きによりスプリング５の巻き込みを確実に防ぐことができる。
【００２０】
このように、本実施の形態に係る弁用スプリングのガイド構造によれば、スプリング５内に挿通されるガイド部４において、ガイド部先端６を先細りとなる形状としているので、ガイド部４が何らかの原因で傾いてもスプリング５を巻き込んで破損させることがなく、また、スプリング５に接触して誤動作を発生させることもなく、弁の開閉動作を安定させることができる。
【００２１】
以上、本発明に係る弁用スプリングのガイド構造について、実施形態に基づいて説明したが本発明はこれに限定されるものではなく、本発明の目的を達成でき、かつ発明の要旨を逸脱しない範囲内で種々設計変更が可能であり、それらも全て本発明の範囲内に包含されるものである。
【００２２】
例えば、上記実施の形態では、排水栓装置におけるポップアップ弁のギア構造に用いられるスプリングのガイド構造を例に挙げて説明したが、これに限られるものではない。弁用のスプリングにガイド部を挿通してスプリングの付勢方向のズレを防止するものであれば、ポップアップ弁の軸のショックアブソーバーに用いられるスプリングや、常時閉塞型の吸気弁や逆流防止弁等に用いられるスプリングのガイド構造であってもよい。
【産業上の利用可能性】
【００２３】
本発明は、ポップアップ弁や逆流防止弁等の弁用のスプリングを備える部材におけるスプリングのガイド構造として有用である。
【符号の説明】
【００２４】
１，５１    排水栓本体
２，５２    弁体
３，５３    弁軸
４，５４    ガイド部
５，５５    スプリング
６          ガイド部先端
【図１】
0006682722.tif 000002
【図２】
0006682722.tif 000003
【図３】
0006682722.tif 000004
【図４】
0006682722.tif 000005